(57)【要約】【課題】必要な部品が少なく、構造が簡単である収納機構１０を提供する。【解決手段】引出し２と、引出し２を収容可能な筐体１と、引出し２を筐体１に自動に収容することを可能にする自動収容機構３とを備える、収納機構１０であって、自動収容機構１０が、（１）筐体１の右側及び左側面壁１３，１４内側に設けた右側垂直ガイドレール４０及び左側垂直ガイドレール４２と、（２）引出し２の右側及び左側面壁２２，２３外側に設けた右側傾斜ガイドレール３０及び左側傾斜ガイドレール３２と、（３）右側垂直ガイドレール４０及び右側傾斜ガイドレール４２に沿って移動可能な右側ローラー６０と、（４）左側垂直ガイドレール４２及び左側傾斜ガイドレール３２に沿って移動可能な左側ローラーと、（５）一方の端部が右側ローラー６０の連結バーに取り付けられる、右側付勢手段５０と、（６）一方の端部が左側ローラーの連結バーに取り付けられる、左側付勢手段５２とを含む。【選択図】図１
2019000581.tif 000002
【特許請求の範囲】
【請求項１】
収納用の引出しと、一面が開口し、前記引出しをスライド移動により収容可能な筐体と、前記引出しを前記筐体に自動に収容することを可能にする自動収容機構とを備える、収納機構であって、
前記自動収容機構が、
（１）前記筐体の右側面壁内側及び左側面壁内側の開口部側にそれぞれに設けた右側垂直ガイドレール及び左側垂直ガイドレールと、
（２）前記引出しの右側面壁外側及び左側面壁外側の、正面側下方から背面側上方に沿って、それぞれに設けた右側傾斜ガイドレール及び左側傾斜ガイドレールと、
（３）前記右側垂直ガイドレール及び前記右側傾斜ガイドレールに沿って移動可能な右側ローラーであって、前記右側ローラーが、前記右側垂直ガイドレールに沿って移動可能な第一車輪と、前記右側傾斜ガイドレールに沿って移動可能な第二車輪と、その一方の端部に第一車輪を直接に若しくは間接的に連結し、更にもう一方の端部に第二車輪を直接に若しくは間接的に連結するための連結バーとを含む、前記右側ローラーと、
（４）前記左側垂直ガイドレール及び前記左側傾斜ガイドレールに沿って移動可能な左側ローラーであって、前記左側ローラーが、前記左側垂直ガイドレールに沿って移動可能な第一車輪と、前記左側傾斜ガイドレールに沿って移動する第二車輪と、その一方の端部に第一車輪を直接に若しくは間接的に連結し、更にもう一方の端部に第二車輪を直接に若しくは間接的に連結するための連結バーとを含む、前記左側ローラーと、
（５）一方の端部が前記筐体の内側底面壁の右側面壁側に取り付けられ、もう一方の端部が前記右側ローラーの連結バーに取り付けられる、右側付勢手段と、
（６）一方の端部が前記筐体の内側底面壁の左側面壁側に取り付けられ、もう一方の端部が前記左側ローラーの連結バーに取り付けられる、左側付勢手段と、
を含み；
前記引出しが前記筐体に完全に収容された状態では、前記右側ローラーは、第一車輪が前記右側垂直ガイドレールの下部に位置し、且つ、第二車輪が前記右側傾斜ガイドレールの下部に位置するように配置され、また同時に、前記左側ローラーは、第一車輪が前記左側垂直ガイドレールの下部に位置し、第二車輪が前記左側傾斜ガイドレールの下部に位置するように配置され；
前記筐体から前記引出しが引き出されることによって、前記右側ローラーは、前記右側垂直ガイドレール及び前記右側傾斜ガイドレールに沿って、また同時に、前記左側ローラーは、前記左側垂直ガイドレール及び前記左側傾斜ガイドレールに沿って、それぞれ、第一車輪が筐体に対して底面側から上面側の方向に向かって略垂直に移動すると同時に、第二車輪が引出しに対して正面側下方から背面側上方に向かって斜めに移動し、この移動によって、前記右側ローラー及び前記左側ローラーが、それぞれ、前記右側付勢手段及び前記左側付勢手段によって、筐体の底面方向に付勢力が付与され；そして、
前記筐体への前記引出しの収容が、前記付勢力により前記右側ローラー及び前記左側ローラーが、それぞれ、元の位置に戻ることによって行われる、
前記収納機構。
【請求項２】
前記右側付勢手段及び／又は前記左側付勢手段が、屈曲手段によって、筐体の内側底面壁に沿って配置される水平付勢部と、筐体の底面壁から略垂直方向に沿って配置される垂直付勢部とを有する、請求項１に記載の収納機構。
【請求項３】
前記右側傾斜ガイドレール及び前記左側傾斜ガイドレールの背面上方側端部に、水平ガイドレールを設ける、請求項１又は２に記載の収納機構。
【発明の詳細な説明】
【技術分野】
【０００１】
本発明は、自動収容機構を備える収納機構に関する。本発明の収納機構は、例えば、冷蔵庫の野菜室もしくは冷凍室、又は家具、例えば、机もしくはキャビネットの引出しとして使用することができる。
【背景技術】
【０００２】
特許文献１には、冷蔵庫本体の箱体と、その箱体の両側の内面それぞれに配置される固定レールと、それらの固定レールの前端付近に回転自在に取り付けられる固定ローラーと、箱体に収容される野菜室の前面を形成する引出し式扉と、その引出し式扉の裏面の両側それぞれに固定され、水平方向に延存する可動レールと、それらの可動レールの引出し式扉とは反対側の先端に配置され、固定レールに沿って回動する可動ローラーとを備える、レール引出し装置が開示されている。
【０００３】
また、特許文献２には、冷蔵庫本体と、その本体に出し入れ可能に収容されるケースと、そのケースの底部外側の両側に設けられた歯板と、その歯板と歯合可能に冷蔵庫本体に設けられた歯車と、その歯車を駆動する駆動モータと、その駆動モータを駆動するためのスイッチとを備える、ケース引出し装置が開示されている。
【先行技術文献】
【特許文献】
【０００４】
【特許文献１】実開昭５５−１２６１８７号公報
【特許文献２】特開平０２−１０３３８８号公報
【発明の概要】
【発明が解決しようとする課題】
【０００５】
本発明者は、収納用の引出しが収容された筐体から人為的にその引出しを引き出した後に、その引出しを自動的に筐体に収容する収納機構について鋭意研究を重ねた結果、必要な部品が少なく、構造が簡単であり、従って、部品コストや組み立てコストを軽減することが可能な、自動収容機構を備える収納機構を開発することに成功した。
特許文献１に記載のレール引出し装置には、野菜室を箱体に自動的に収容するための機構が備わっていないので、人為的に野菜室を箱体に収容することが必要であるという欠点がある。
特許文献２に記載のケース引出し装置では、冷蔵庫本体からのケースの引き出しと、冷蔵庫本体へのケースの収容との両方を自動で行うこと考慮しているために、必要な部品が多く、構造が複雑となり、更に電気型駆動モータを使用する必要があるので、部品コストや組み立てコストが高くなってしまう欠点がある。
【課題を解決するための手段】
【０００６】
前記の課題は、本発明による、
収納用の引出し２と、一面が開口し、前記引出しをスライド移動により収容可能な筐体１と、前記引出しを前記筐体に自動に収容することを可能にする自動収容機構３とを備える、収納機構１０であって、
前記自動収容機構が、
（１）前記筐体の右側面壁１３内側及び左側面壁１４内側の開口部側にそれぞれに設けた右側垂直ガイドレール４０及び左側垂直ガイドレール４２と、
（２）前記引出しの右側面壁２２外側及び左側面壁２３外側の、正面側下方から背面側上方に沿って、それぞれに設けた右側傾斜ガイドレール３０及び左側傾斜ガイドレール３２と、
（３）前記右側垂直ガイドレール及び前記右側傾斜ガイドレールに沿って移動可能な右側ローラー６０であって、前記右側ローラーが、前記右側垂直ガイドレールに沿って移動可能な第一車輪６４と、前記右側傾斜ガイドレールに沿って移動可能な第二車輪６５と、その一方の端部に第一車輪を直接に若しくは間接的に連結し、更にもう一方の端部に第二車輪を直接に若しくは間接的に連結するための連結バー６６とを含む、前記右側ローラーと、
（４）前記左側垂直ガイドレール及び前記左側傾斜ガイドレールに沿って移動可能な左側ローラー６２であって、前記左側ローラーが、前記左側垂直ガイドレールに沿って移動可能な第一車輪６４と、前記左側傾斜ガイドレールに沿って移動する第二車輪６５と、その一方の端部に第一車輪を直接に若しくは間接的に連結し、更にもう一方の端部に第二車輪を直接に若しくは間接的に連結するための連結バー６６とを含む、前記左側ローラーと、
（５）一方の端部が前記筐体の内側底面壁１６の右側面壁側に取り付けられ、もう一方の端部が前記右側ローラーの連結バーに取り付けられる、右側付勢手段５０と、
（６）一方の端部が前記筐体の内側底面壁１６の左側面壁側に取り付けられ、もう一方の端部が前記左側ローラーの連結バーに取り付けられる、左側付勢手段５２と、
を含み；
前記引出しが前記筐体に完全に収容された状態では、前記右側ローラーは、第一車輪が前記右側垂直ガイドレールの下部に位置し、且つ、第二車輪が前記右側傾斜ガイドレールの下部に位置するように配置され、また同時に、前記左側ローラーは、第一車輪が前記左側垂直ガイドレールの下部に位置し、第二車輪が前記右側傾斜ガイドレールの下部に位置するように配置され；
前記筐体から前記引出しが引き出されることによって、前記右側ローラーは、前記右側垂直ガイドレール及び前記右側傾斜ガイドレールに沿って、また同時に、前記左側ローラーは、前記左側垂直ガイドレール及び前記左側傾斜ガイドレールに沿って、それぞれ、第一車輪が筐体に対して底面側から上面側の方向に向かって略垂直に移動すると同時に、第二車輪が引出しに対して正面側下方から背面側上方に向かって斜めに移動し、この移動によって、前記右側ローラー及び前記左側ローラーが、それぞれ、前記右側付勢手段及び前記左側付勢手段によって、筐体の底面方向に付勢力が付与され；そして、
前記筐体への前記引出しの収容が、前記付勢力により前記右側ローラー及び前記左側ローラーが、それぞれ、元の位置に戻ることによって行われる、
前記収納機構によって解決することができる。
【０００７】
本発明による収納機構の好ましい態様によれば、前記右側付勢手段及び／又は前記左側付勢手段が、屈曲手段によって、筐体の内側底面壁に沿って配置される水平付勢部と、筐体の底面壁から略垂直方向に沿って配置される垂直付勢部とを有することができる。
【０００８】
本発明による収納機構の別の好ましい態様によれば、前記右側傾斜ガイドレール及び前記左側傾斜ガイドレールの背面上方側端部に、水平ガイドレールを設けることができる。
【０００９】
本明細書において、位置関係を示す用語（例えば、上面、底面、右側面、左側面、正面、背面、上方、下方、上部、底部、及び垂直）は、特に断らない限り、本発明による収納機構を通常の方法で使用している状態で、正面から観察した場合における位置関係について用いるものとする。
【発明の効果】
【００１０】
本発明による自動収容機構を備える収納機構は、収納用の引出しが収容された筐体から人為的にその引出しを引き出した後に、その引出しを自動的に筐体に収容することが可能であり、更に、従来の自動収容機構を備える収納機構と比較して、必要な部品が少なく、構造が簡単であり、従って、部品コストや組み立てコストを軽減することが可能である。
【図面の簡単な説明】
【００１１】
【図１】本発明による収納機構の一態様の分解斜視図である。
【図２】図１に示す本発明の一態様に関して、筐体に収納用の引出しを完全に収納した状態において、筐体の筐体上面壁を仮想的に取り外した状態の仮想平面図である。
【図３】図１に示す本発明の一態様において、垂直ガイドレール及び傾斜ガイドレールへのローラーの設置方法、及びそれらのガイドレールにおけるローラーの移動方法を示す斜視図である。
【図４】本発明で用いることのできる各種ローラーの平面図である。
【図５】本発明で用いることのできる傾斜ガイドレール、及びそれに設置される車輪の別の態様を示す斜視図である。
【図６】傾斜ガイドレールとローラーと付勢手段との関係を示す仮想左側面図である。
【発明を実施するための形態】
【００１２】
以下、本発明による収納機構を添付図面に沿って説明するが、本発明はこの添付図面に示す態様に限定されるものではない。以下、本発明による収納機構の好ましい態様を、添付図面を参照しながら説明する。
【００１３】
図１は、本発明による収納機構１０の一態様を示す分解斜視図であり、図２は、同態様に関して、筐体１に収納用の引出し２を完全に収納した状態において、筐体１の筐体上面壁１５を仮想的に取り外した状態の仮想平面図であり、図３は、同態様において、左側垂直ガイドレール４２及び左側傾斜ガイドレール３２への左側ローラー６２の設置方法、及びそれらのガイドレールにおけるローラーの移動方法を示す斜視図である。
【００１４】
図１に示すように、本発明による収納機構１０は、筐体１（例えば、冷蔵庫の本体若しくはその一部、又は机若しくはキャビネット、若しくはその一部）と、収納用の引出し２（例えば、野菜室若しくは冷凍室、又は机若しくはキャビネットの引出し）と、収納用の引出し２を筐体１に自動に収容することを可能にする自動収容機構３とを含む。
筐体１は、一般的に、筐体右側面壁１３と、筐体左側面壁１４と、筐体上面壁１５と、筐体底面壁１６と、筐体背面壁１７とから主に形成され、正面側に開口部を有する柱状体（立方体状又は直方体状の柱状体）である。筐体１は、収納用の引出し２を収容するための引出し用収容室１２を有することができる。
収納用の引出し２は、一般的に、引出し右側面壁２２と、引出し左側面壁２３と、引出し底面壁２４と、引出し正面壁２５と、引出し背面壁２６とから主に形成され、上面側に開口部を有する柱状体（立方体状又は直方体状の柱状体）である。収納用の引出し２は、例えば、野菜類、冷凍食品、筆記具類、書類、備品などを収納するための収納室２０を有することができる。
引出し正面壁２５には、収納用の引出し２を筐体１から引き出すことを容易にするために、取手７２を取り付けることができる。
【００１５】
筐体１の引出し用収容室１２から収納用引出し２の引き出し、及び筐体１の引出し用収容室１２への収納用引出し２の収容は、筐体底面壁１６に対して収納用の引出し２を平行に移動させるようなスライド移動によって行うことができる。
このスライド移動は、公知の方法、例えば、筐体底面壁１６の内側に設けたガイドレール、及び引出し底面壁２４の外側に設け、そのガイドレールに沿って移動可能なローラー（図示せず）を使用することによって、容易に行うことができる。
【００１６】
図２に示すように、筐体右側面壁１３と引出し右側面壁２２との間のスペース、及び筐体左側面壁１４と引出し左側面壁２３との間のスペースにおいて、それぞれ、自動収容機構３が配置される。
【００１７】
引出し正面壁２５の周囲四方には、筐体１の開口部を完全に覆うように、ツバ部２７を設けることができる。このツバ部２７を設けることによって、自動収容機構３を保護することができる。
【００１８】
自動収容機構３は、垂直ガイドレールとしての右側垂直ガイドレール４０及び左側垂直ガイドレール４２、傾斜ガイドレールとしての右側傾斜ガイドレール３０及び左側傾斜ガイドレール３２、ローラーとしての右側ローラー６０及び左側ローラー６２、並びに付勢手段としての右側付勢手段５０及び左側付勢手段５２を含む。ローラーは、垂直ガイドレール及び傾斜ガイドレールに沿って移動する。付勢手段の端部の一方は、ローラーに取り付けられ、端部のもう一方は、筐体底面壁１６に取り付けられている。
【００１９】
筐体右側面壁１３の内側及び筐体左側面壁１４の内側には、それぞれ、開口部側に、右側垂直ガイドレール４０及び左側垂直ガイドレール４２を、筐体底面壁１６に対して、略垂直方向に設けることができる。
右側垂直ガイドレール４０の上端部及び左側垂直ガイドレール４２の上端部と筐体上面壁１５との間には、それぞれのガイドレーの上端部側からローラー６０，６２を設置するためのスペースを設けることが好ましい。
【００２０】
右側垂直ガイドレール４０及び左側垂直ガイドレール４２の短手方向の断面形状は、垂直ガイドレール４０，４２からローラー６０，６２を脱輪させないようにするために、断面Ｃ字状にすることが好ましい。
【００２１】
右側垂直ガイドレール４０及び左側垂直ガイドレール４２は、例えば、可撓性材料（例えば、プラスチック材料）、又は金属性材料（例えば、鉄）からなる。
【００２２】
引出し右側面壁２２の外側、及び引出し左側面壁２３の外側には、それぞれ、正面側下方から背面側上方に沿って、右側傾斜ガイドレール３０及び左側傾斜ガイドレール３２を設けることができる。
右側傾斜ガイドレール３０及び左側傾斜ガイドレール３２には、それぞれ、背面上方側端部に、引出し底面壁２４に対して水平である水平ガイドレール３４を設けることができる。この水平ガイドレール３４は、正面下方側端部及び／又は傾斜ガイドレールの途中にも設けることができる。この水平ガイドレール３４を設けることによって、この水平部においてローラーを一時的に停止させることができる。
【００２３】
右側傾斜ガイドレール３０及び左側傾斜ガイドレール３２には、それぞれ、正面下方側端部及び／又は背面上方側端部において、底部ストッパー３５及び／又は上部ストッパー３６を設けることができる。これらのストッパーを設けることによって、ローラーが、傾斜ガイドレールの正面下方側端部から更に正面側に、又は傾斜ガイドレールの背面上方側端部から更に背面側に脱輪することを防止することができる。
【００２４】
傾斜ガイドレール３０，３２の傾斜は、正面側下方から背面側上方に沿って、直線状に傾斜させたり、湾曲状に傾斜させたり、直線状と湾曲状とを組み合わせて傾斜させることができる。背面側上方の傾斜角度を、正面側下方の傾斜角度よりも大きくすること、すなわち、背面側上方から正面側下方に向かって徐々に緩やかに傾斜させることが、収納用の引出し２を筐体１に静かに滑らかに収容する観点で好ましい。
【００２５】
右側傾斜ガイドレール３０及び左側傾斜ガイドレール３２は、例えば、可撓性材料（例えば、プラスチック材料）、又は金属性材料（例えば、鉄）からなる。
【００２６】
右側ローラー６０は、右側垂直ガイドレール４０及び右側傾斜ガイドレール３０に沿って移動し、一方、左側ローラー６２は、左側垂直ガイドレール４２及び左側傾斜ガイドレール３２に沿って移動する。
以下、左側ローラー６２の具体的態様、並びに、左側ローラー６２と左側垂直ガイドレール４２及び左側傾斜ガイドレール３２との関係を図３〜図５に沿って説明する。なお、右側ローラー６０の具体的態様、並びに、右側ローラー６０と右側垂直ガイドレール４０及び右側傾斜ガイドレール３０との関係は、左側ローラーと同様である。
【００２７】
左側ローラーは、図４（ａ）に示すように、連結バー６６の両側端部に第一車輪側補助バー６７及び第二車輪側補助バー６８を設けて、そして、第一車輪側補助バー６７に２個の第一車輪６４を取り付けて、更に第二車輪側補助バー６８に２個の第二車輪６５を取り付けることができる。すなわち、第一車輪６４及び第二車輪６５は、第一車輪側補助バー６７又は第二車輪側補助バー６８を介して、連結バー６６に間接的に連結している。
図３に示すように、第一車輪側補助バー６７及び第二車輪側補助バー６８は、連結バー６６の軸周りに回転させることができる。第一車輪６４は、第一車輪側補助バー６７の軸周りに回転させることが可能であり、また、第二車輪６５は、第二車輪側補助バー６８の軸周りに回転させることが可能である。
【００２８】
第一車輪６４は、図４（ｂ）に示すように、１個にすることもできる。車輪が１個の場合には、第一車輪側補助バー６７を介さずに、第一車輪６４を連結バー６６に直接取り付けることができる。もちろん、第一車輪側補助バー６７を介して、第一車輪６４を連結バー６６に間接的に取り付けることもできる。
【００２９】
第一車輪６４及び第二車輪６５の車輪の数は特に限定されない。第一車輪６４及び第二車輪６５をそれぞれ１個にしたり、それぞれを複数個（例えば、２個、３個、又は４個）にしたり、一方の車輪を１個にして、他方の車輪を複数個にすることもできる。
【００３０】
第一車輪６４及び第二車輪６５は、例えば、可撓性材料（例えば、プラスチック材料）、金属性材料（例えば、鉄）、エラストマー性材料、又はゴム性材料からなる。
【００３１】
第一車輪６４の左側垂直ガイドレール４２への設置は、第一車輪側補助バー６７を使用する場合（例えば、車輪が複数個の場合）には、図３に示すように、第一車輪側補助バー６７の長手方向を左側垂直ガイドレール４２の長手方向に対して平行になるような向きにして、その後、左側垂直ガイドレール４２の上端部側から、車輪移動用空間４４に第一車輪６４をＡ方向に挿入し、同時に、バー移動用空間４６に、第一車輪側補助バー６７をＡ方向に挿入することによって行われる。
【００３２】
第一車輪６４を連結バー６６に直接取り付けた場合（例えば、車輪が１個の場合）には、第一車輪側補助バー６７を左側垂直ガイドレール４２の長手方向に対して平行にする操作は不要となる。
【００３３】
第一車輪６４は、左側垂直ガイドレール４２の車輪移動用空間４４をＢ方向に垂直（上下）移動し、第一車輪側補助バー６７は、垂直ガイドレール４２のバー移動用空間４６をＢ方向に垂直（上下）移動させることができる。
なお、連結バー６６及び第一車輪側補助バー６７の垂直（上下）移動する空間は、車輪移動用空間４４であっても、バー移動用空間４６であっても、又はそれ以外の空間であってもよい。
【００３４】
車輪移動用空間４４は、第一車輪６４の短手方向の面（トレッド面）が左側垂直ガイドレール４２の短手方向の内側面とわずかに接触することが可能な程度の空間であることが好ましい。
バー移動用空間４６の短手方向の断面積は、左側垂直ガイドレール４２に設置された第一車輪６４が左側傾斜ガイドレール３２側に脱輪しないようにするために、車輪移動用空間４４の短手方向の断面積よりも小さくすることが好ましい。
【００３５】
第二車輪６５は、図３に示すように、左側傾斜ガイドレール３２に設けた帯状溝３８に設置することができる。このような設置によって、筐体１から収納用の引出し２がスライド移動する際に、すなわち、左側傾斜ガイドレール３２が第二車輪６５に対してＣ方向に移動する際に、左側傾斜ガイドレール３２から第二車輪６５が脱輪することが防止することができる。
【００３６】
また、図５（ａ）及び図５（ｂ）に示すように、左側傾斜ガイドレール３２に設けた凸部３９と、第二車輪６５に設けたと車輪溝６９を係合させることによって脱輪を防止することもできる。なお、図５（ｂ）は、図５（ａ）に示す第二車輪６５の平面図である。
【００３７】
付勢手段５０，５２をローラー６０，６２の連結バー６６に予め取り付けた後に、垂直ガイドレール４０，４２及び傾斜ガイドレール３０，３２にローラー６０，６２を設置することができる。
また、垂直ガイドレール４０，４２及び傾斜ガイドレール３０，３２にローラー６０，６２を設置した後に、付勢手段５０，５２をローラー６０，６２の連結バー６６に取り付けることもできる。
【００３８】
収納用の引出し２の右側面壁２２及び左側面壁２３には、それぞれ、ローラー６０，６２を垂直ガイドレール４０，４２及び傾斜ガイドレール３０，３２に設置するためのローラー着脱用扉７０を設けることができる。ローラー着脱用扉７０の設置位置は、右側面壁２２及び左側面壁２３であれば、特に限定されない。
垂直ガイドレール４０，４２及び傾斜ガイドレール３０，３２へのローラー６０，６２の設置は、図６（ｂ）に示す状態にした後に、収納用の引出し２の収納室２０側からローラー着脱用扉７０を取り外して、収納室２０側から行うことができる。
【００３９】
例えば、掃除などにおいて筐体１と収納用の引出し２とを完全に分離したい場合には、ローラー着脱用扉７０を使用して、ローラー６０，６２と垂直ガイドレール３２，４２及び傾斜ガイドレール３０，３２との係合状態を解放することによって行うことができる。
【００４０】
右側付勢手段５０は、その一方の端部が筐体１の底面壁１６内側の右側面壁１３側に取り付けられ、もう一方の端部が右側ローラー６０の連結バー６６に取り付けられる。
左側付勢手段５２は、その一方の端部が筐体１の底面壁１６内側の左側面壁１４側に取り付けられ、もう一方の端部が左側ローラー６２の連結バー６６に取り付けられる。
【００４１】
右側付勢手段５０及び左側付勢手段５２の底面壁１６への取り付けは、公知の手段、例えば、ネジなどの締結手段７４によって行うことができる。右側付勢手段５０及び左側付勢手段５２の連結バー６６への取り付けは、連結バー６６に直接引っ掛けて取り付けることも、公知の固定手段によって取り付けることもできる。
右側ローラー６０及び左側ローラー６２は、それぞれ、右側付勢手段５０又は左側付勢手段５２によって、底面壁１６の方向に付勢されている。
【００４２】
右側付勢手段５０及び／又は左側付勢手段５２は、図１に示すように、屈曲手段５８によって、筐体１の底面壁１６内側に沿って配置される水平付勢部５４と、筐体１の底面壁１６から略垂直方向（すなわち、垂直ガイドレールの長手方向）に沿って配置される垂直付勢部５６とを有することができる。右側付勢手段５０及び／又は左側付勢手段５２は、垂直付勢部５６のみを有することもできる。
右側付勢手段５０及び／又は左側付勢手段５２が水平付勢部５４と垂直付勢部５６との両方を有する場合には、垂直付勢部５６のみを有する場合と比較して、強い付勢力を有することができる。
【００４３】
付勢手段５０，５２は、例えば、バネである。屈曲手段５８は、直線状の付勢手段を水平付勢部５４と垂直付勢部５６との両方を有することのできるようにする任意の公知手段、例えば、回転ローラーである。
【００４４】
次に、収納用の引出し２が収容された筐体１から人為的にその引出しを引き出した後に、その引出しを自動的に収容する収納機構について、左側傾斜ガイドレール３２と左側ローラー６２と左側付勢手段５２との関係を例に挙げて具体的に説明する。
【００４５】
図６（ａ）は、筐体１に収納用の引出し２を完全に収納し、筐体左側面壁１４、左側垂直ガイドレール４２、第一車輪６４、及び第一車輪側補助バー６７を仮想的に取り除した状態における、左側傾斜ガイドレール３２と左側ローラー６２と左側付勢手段５２との関係を示す仮想左側面図である。
図６（ｂ）は、図６（ａ）に示す状態から収納用の引出し２を筐体１から引き出す途中の状態を示す仮想左側面図である。
図６（ｃ）は、筐体１から収納用引出し２を完全に引き出した状態を示す仮想左側面図である。
【００４６】
筐体１に収納用の引出し２を完全に収納された状態では、左側ローラー６２は、左側傾斜ガイドレール３２及び左側垂直ガイドレール４２の下部に位置するように配置される。例えば、第二車輪６５は、図６（ａ）に示すように、左側傾斜ガイドレール３２の下部に位置するように配置される。また、第一車輪６４は、左側垂直ガイドレール４２の下部に位置するように配置される（図示せず）。
右側ローラー６０は、左側ローラー６２と同様に、筐体１に収納用の引出し２を完全に収納された状態において、右側傾斜ガイドレール３０及び右側垂直ガイドレール４０の下部に位置するように配置される。
【００４７】
収納用の引出し２を筐体１から引き出すことによって、左側ローラー６２は、左側傾斜ガイドレール３２及び左側垂直ガイドレール４２に沿って、筐体底面壁１６側から筐体上面壁１５側に向かって上方向に移動する。
すなわち、左側ローラー６２の第二車輪６５は、図６（ｂ）に示すように、左側傾斜ガイドレール３２に沿って、収納用の引出し２に対して正面側下方から背面側上方に向かって斜めに移動する。一方、左側ローラー６２の第一車輪６４は、図６に示していないが、左側垂直ガイドレール４２の長手方向に沿って上方向に移動する（すなわち、筐体１の底面壁１６に対して略垂直上方向に移動する）。
この左側ローラー６２の略垂直上方向の移動によって、左側付勢手段５２の垂直付勢部５６は、筐体１の底面壁１６に対して略垂直上方向に伸びて、更に、左側付勢手段５２の水平付勢部５４は、筐体１の底面壁１６に対して水平方向に伸びる。すなわち、左側ローラー６２は、左側付勢手段５２によって、筐体１の底面壁１６側に付勢力が付与される。
【００４８】
左側ローラー６２は、左側付勢手段５２によって筐体１の底面壁１６側に付勢力が付与されているので、例えば、図６（ｂ）に示す状態で外部からの力を無くすと、その付勢力及び左側傾斜ガイドレール３２の傾斜によって、左側ローラー６２は、左側傾斜ガイドレール３２及び左側垂直ガイドレール４２に沿って筐体１の底面壁１６側に向かって移動して、最終的には、図６（ａ）に示す状態の元の位置に戻すことができる。
【００４９】
収納用の引出し２を筐体１から引き出す距離が長くなればなるほど、左側ローラー６２が上方向に移動する距離が長くなり、左側付勢手段５２が大きく伸びる。すなわち、左側付勢手段５２が大きく伸びることによって、左側ローラー６２に対する付勢力を大きくすることができるので、図６（ｃ）に示す状態の付近まで引出し２を引き出したとしても、ローラー６２を元の位置に戻すことができる。
右側ローラー６０についても、左側ローラー６２と同様に、右側付勢手段５０の付勢力によって、元の位置に戻すことができる。
【００５０】
図６（ｃ）に示すように筐体１から収納用引出し２を完全に引き出した場合には、左側ローラー６２は、水平ガイドレール３４に位置するので、その位置でローラー６２を一時的に停止させることができる。すなわち、外部から力を与えない限り、収納用引出し２を完全に引き出した状態を維持し続けることができる。
図６（ｃ）に示す状態から筐体１に引出し２を少し収容することによって、ローラー６２は、水平ガイドレール３４から傾斜ガイドレール３２に移動させることができ、これによって、維持状態が解放され、ローラー６２を元の位置に戻すことができる。
右側ローラー６０についても、左側ローラー６２と同様に、水平ガイドレール３４上で一時的に停止させることができ、その維持状態を開放することにより、右側付勢手段５０の付勢力によって、元の位置に戻すことができる。
【符号の説明】
【００５１】
１・・・筐体；２・・・収納用引出し；３・・・自動収容機構；１０・・・収納機構；
１２・・・引出し用収容室；１３・・・筐体右側面壁；１４・・・筐体左側面壁；
１５・・・筐体上面壁；１６・・・筐体底面壁；１７・・・筐体背面壁；
２０・・・収納室；２２・・・引出し右側面壁；２３・・・引出し左側面壁；
２４・・・引出し底面壁；２５・・・引出し正面壁；２６・・・引出し背面壁；
２７・・・ツバ部；３０・・・右側傾斜ガイドレール；
３２・・・左側傾斜ガイドレール；３４・・・水平ガイドレール；
３５・・・底部ストッパー；３６・・・上部ストッパー；３８・・・帯状溝；
３９・・・凸部；４０・・・右側垂直ガイドレール；４２・・・左側垂直ガイドレール；
４４・・・車輪移動用空間；４６・・・バー移動用空間；５０・・・右側付勢手段；
５２・・・左側付勢手段；５４・・・水平付勢部；５６・・・垂直付勢部；
５８・・・屈曲手段；６０・・・右側ローラー；６２・・・左側ローラー；
６４・・・第一車輪；６５・・・第二車輪；６６・・・連結バー；
６７・・・第一車輪側補助バー；６８・・・第二車輪側補助バー；６９・・・車輪溝；
７０・・・ローラー着脱用扉；７２・・・取手；７４・・・締結手段；
【図１】
2019000581.tif 000003
【図２】
2019000581.tif 000004
【図３】
2019000581.tif 000005
【図４】
2019000581.tif 000006
【図５】
2019000581.tif 000007
【図６】
2019000581.tif 000008